(57)【特許請求の範囲】
【請求項１】
コネクタと、前記コネクタと上下方向に沿って嵌合及び抜去可能な相手側コネクタとを備えるコネクタ組立体であって、
前記相手側コネクタは、力受部と、第１押圧部とを備えており、
前記コネクタは、ハウジングと、レバーと、スライダとを備えており、
前記ハウジングには、ハウジング側規制部が設けられており、
前記レバーは、第１位置と第２位置との間で回転可能となるように、前記ハウジングに取り付けられており、
前記スライダは、前記上下方向と直交する前後方向において移動可能となるように、前記ハウジングに取り付けられており、
前記レバーは、複数の歯を有する歯車部を有しており、
前記スライダは、複数の歯を有するラック部と、力伝達部と、被規制部とを有しており、
前記歯車部と前記ラック部は、互いに噛み合うことにより、前記レバーの回転を前記スライダの前記前後方向の移動に変換するものであり、
前記力伝達部は、前記スライダの前記前後方向の移動により前記相手側コネクタの前記力受部に前記上下方向の力を伝達するものであり、
前記レバーが前記第１位置から前記第２位置へ回転したとき、前記スライダは、前記前後方向において前方へ移動し、かつ前記力伝達部は、前記相手側コネクタの前記力受部を前記上下方向において上方へ移動させ、それによって前記コネクタと前記相手側コネクタとは嵌合状態となり、
前記レバーが前記第２位置から前記第１位置へ回転したとき、前記スライダは、前記前後方向において後方へ移動し、かつ前記力伝達部は、前記相手側コネクタの前記力受部を前記上下方向において下方へ移動させ、それによって、前記コネクタと前記相手側コネクタとは抜去可能な状態となり、
前記相手側コネクタと前記コネクタとが嵌合していない状態において前記レバーが前記第１位置にあるとき、前記ハウジング側規制部は、前記被規制部と係合することにより前記スライダの前方への移動を規制しており、
前記相手側コネクタと前記コネクタとが嵌合する際、前記第１押圧部は、前記ハウジング側規制部又は前記被規制部を押圧することにより前記ハウジング側規制部による前記規制を解除し、
前記相手側コネクタは、カム突起を更に備えており、
前記カム突起は、前記力受部として機能するものであり、
前記スライダは、カム溝を更に有しており、
前記カム溝は、前記力伝達部として機能するものであり、
前記カム溝は、前記上下方向における下方に開口部を有しており、
前記カム溝は、前記開口部から後方且つ上方に延びている溝であり、
前記被規制部は、係止突起を有しており、
前記相手側コネクタと前記コネクタとが嵌合していない状態において前記レバーが前記第１位置にあるとき、前記ハウジング側規制部の後面は前記被規制部の前記係止突起の前面と接触しており、前記被規制部の前方への移動は妨げられており、これにより前記スライダの前方への移動は規制されており、
前記第１押圧部は、前記被規制部に対して前記押圧を行い、
前記スライダは、弾性変形可能なアーム部を更に有しており、
前記被規制部は、前記アーム部の先端に設けられており、前記前後方向及び前記上下方向の双方と直交する幅方向に移動可能であり、
前記スライダは、アーム部収容部を有しており、
前記アーム部収容部は、前記幅方向外側に凹んだ凹部であり、
前記アーム部は、前記アーム部収容部の内面の前記幅方向内側に位置している
コネクタ組立体。
【請求項２】
請求項１記載のコネクタ組立体であって、
前記アーム部は、前記前後方向において後方に延びている
コネクタ組立体。
【請求項３】
請求項１又は請求項２記載のコネクタ組立体であって、
前記相手側コネクタは、第２押圧部を更に備えており、
前記スライダは、スライダ側被押圧部を更に有しており、
前記スライダ側被押圧部は、前記上下方向及び前記前後方向の双方と斜交する斜面を有しており、
前記相手側コネクタが前記コネクタと嵌合する場合において前記相手側コネクタが上方に移動するとき、前記ハウジング側規制部の前記規制が解除された後に、前記第２押圧部は、前記スライダ側被押圧部の前記斜面を押圧することにより前記スライダを前方に向けて移動させる
コネクタ組立体。
【請求項４】
請求項１又は請求項２記載のコネクタ組立体であって、
前記相手側コネクタは、第２押圧部を更に備えており、
前記スライダは、スライダ側規制部を更に有しており、
前記スライダ側規制部は、前記上下方向と直交する平面を有しており、
前記相手側コネクタが前記コネクタと嵌合する場合において前記相手側コネクタが上方に移動するとき、前記ハウジング側規制部の前記規制が解除されてから前記スライダが前方に向けて所定量移動した後に、前記第２押圧部が前記スライダ側規制部の前記平面に突き当たり、
前記第２押圧部が前記平面に突き当たったとき、前記カム突起は、前記カム溝内に位置しており、前記レバーは前記第１位置から前記第２位置まで回転可能な状態となっている
コネクタ組立体。
【請求項５】
請求項４記載のコネクタ組立体であって、
前記ハウジングは、平坦部を有しており、
前記平坦部は、前記前後方向において前記ハウジング側規制部の前方に位置しており、
前記スライダが前方に向けて前記所定量移動したとき、前記被規制部と前記平坦部とは前記幅方向に並んでおり、且つ前記アーム部は弾性変形している
コネクタ組立体。
【請求項６】
請求項５記載のコネクタ組立体であって、
前記ハウジングは、前記幅方向に貫通する孔部を有しており、
前記孔部は、前記前後方向において前記平坦部の前方に位置しており、
前記スライダが前方に向けて前記所定量移動した後に前記レバーを前記第１位置から前記第２位置まで回転したとき、前記被規制部は前記前後方向において前記孔部内に位置しており、且つ前記アーム部は弾性変形していない
コネクタ組立体。
【請求項７】
請求項１又は請求項２記載のコネクタ組立体であって、
前記相手側コネクタは、第２押圧部を更に備えており、
前記スライダは、スライダ側被押圧部と、スライダ側規制部とを更に有しており、
前記被規制部、前記スライダ側被押圧部及び前記スライダ側規制部は、前記前後方向においてこの順序で並んで配置されており、
前記第１押圧部及び前記第２押圧部は、前記前後方向においてこの順序で並んで配置されており、
前記相手側コネクタが前記コネクタと嵌合する場合において前記相手側コネクタが上方に移動するとき、前記ハウジング側規制部の前記規制が解除された後に、前記第２押圧部は、前記スライダ側被押圧部を押圧することにより前記スライダを前方に向けて所定量移動させ、
前記スライダが前方に向けて前記所定量移動した後、前記第２押圧部が前記スライダ側規制部に突き当たり、
前記第２押圧部が前記スライダ側規制部に突き当たったとき、前記カム突起は、前記カム溝内に位置しており、前記レバーは前記第１位置から前記第２位置まで回転可能な状態となっている
コネクタ組立体。
【請求項８】
請求項３記載のコネクタ組立体であって、
前記スライダは、一対の側板部を備えており、
前記側板部の夫々には、２つの前記カム溝が設けられており、
前記２つの前記カム溝は、前記前後方向において並んでいる
コネクタ組立体。
【請求項９】
請求項１から請求項８までのいずれかに記載のコネクタ組立体であって、
前記被規制部及び前記第１押圧部の夫々は、前記相手側コネクタと前記コネクタとが嵌合する際に互いに接触する接触部を有しており、
前記被規制部の前記接触部と前記第１押圧部の前記接触部との少なくとも一方の前記接触部は、斜面を有しており、
前記斜面は、前記相手側コネクタが前記コネクタと嵌合する際に、前記被規制部を前記前後方向と交差する交差方向に移動させるように傾斜している
コネクタ組立体。
【請求項１０】
請求項１から請求項８までのいずれかに記載のコネクタ組立体であって、
前記係止突起は、前記幅方向において内側に突出しており、
前記係止突起は、前記上下方向及び前記幅方向の双方と斜交する下面を有している
コネクタ組立体。
【請求項１１】
請求項１０記載のコネクタ組立体であって、
前記係止突起は、前記前後方向及び前記幅方向の双方と斜交する後面を有している
コネクタ組立体。
【請求項１２】
コネクタと、前記コネクタと上下方向に沿って嵌合及び抜去可能な相手側コネクタとを備えるコネクタ組立体であって、
前記相手側コネクタは、力受部と、第１押圧部とを備えており、
前記コネクタは、ハウジングと、レバーと、スライダとを備えており、
前記ハウジングには、外周部と、ハウジング側規制部とが設けられており、
前記レバーは、第１位置と第２位置との間で回転可能となるように、前記ハウジングに取り付けられており、
前記スライダは、前記上下方向と直交する前後方向において移動可能となるように、前記ハウジングに取り付けられており、
前記レバーは、複数の歯を有する歯車部を有しており、
前記スライダは、複数の歯を有するラック部と、力伝達部と、被規制部とを有しており、
前記歯車部と前記ラック部は、互いに噛み合うことにより、前記レバーの回転を前記スライダの前記前後方向の移動に変換するものであり、
前記力伝達部は、前記スライダの前記前後方向の移動により前記相手側コネクタの前記力受部に前記上下方向の力を伝達するものであり、
前記レバーが前記第１位置から前記第２位置へ回転したとき、前記スライダは、前記前後方向において前方へ移動し、かつ前記力伝達部は、前記相手側コネクタの前記力受部を前記上下方向において上方へ移動させ、それによって前記コネクタと前記相手側コネクタとは嵌合状態となり、
前記レバーが前記第２位置から前記第１位置へ回転したとき、前記スライダは、前記前後方向において後方へ移動し、かつ前記力伝達部は、前記相手側コネクタの前記力受部を前記上下方向において下方へ移動させ、それによって、前記コネクタと前記相手側コネクタとは抜去可能な状態となり、
前記相手側コネクタと前記コネクタとが嵌合していない状態において前記レバーが前記第１位置にあるとき、前記ハウジング側規制部は、前記被規制部と係合することにより前記スライダの前方への移動を規制しており、
前記相手側コネクタと前記コネクタとが嵌合する際、前記第１押圧部は、前記ハウジング側規制部を押圧することにより前記ハウジング側規制部による前記規制を解除し、
前記相手側コネクタは、カム突起を更に備えており、
前記カム突起は、前記力受部として機能するものであり、
前記スライダは、カム溝を更に有しており、
前記カム溝は、前記力伝達部として機能するものであり、
前記カム溝は、前記上下方向における下方に開口部を有しており、
前記カム溝は、前記開口部から後方且つ上方に延びている溝であり、
前記ハウジング側規制部は、前記外周部の前記前後方向及び前記上下方向の双方と直交する幅方向の内面から内側に突出した突起であり、
前記スライダは、一対の側板部を備えており、
前記被規制部は、前記側板部を前記幅方向に貫通する孔であり、
前記相手側コネクタと前記コネクタとが嵌合していない状態において前記レバーが前記第１位置にあるとき、前記ハウジング側規制部の前記突起は、前記被規制部の前記孔に挿入されており、前記ハウジング側規制部の前記突起の軸部の前記幅方向内端が前記被規制部の前記孔のテーパ部の前記幅方向内端よりも前記幅方向内側に位置していることから、前記被規制部の前方への移動は妨げられている
コネクタ組立体。
【請求項１３】
請求項１から請求項１２までのいずれかに記載のコネクタ組立体であって、
前記ハウジングは、ハウジング本体と、カバー部とを備えており、
前記カバー部は、前記ハウジング本体に装着されており、
前記レバー及び前記スライダは、前記ハウジング本体に取り付けられている
コネクタ組立体。
【請求項１４】
請求項１３記載のコネクタ組立体であって、
前記カバー部には、初期位置規制部が設けられており、
前記レバーが前記第１位置に位置しているとき、前記初期位置規制部は前記レバーの前記前後方向における前方への移動を規制している
コネクタ組立体。
【発明の詳細な説明】
【技術分野】
【０００１】
本発明は、コネクタと相手側コネクタとを備えたコネクタ組立体に関する。
【背景技術】
【０００２】
図２５及び図２６を参照すると、特許文献１には、コネクタ９１０と、コネクタ９１０と嵌合及び抜去可能な相手側コネクタ９６０とを備えるコネクタ組立体９００が開示されている。相手側コネクタ９６０は、ボス９６５、即ち力受部９６５を備えている。コネクタ９１０は、ハウジング９２０と、レバー９３０と、一対のスライダ９４０と、電線カバー９５０とを備えている。レバー９３０は、嵌合開始位置（第１位置）と嵌合完了位置（第２位置）との間で回転可能となるように電線カバー９５０に取付けられている。電線カバー９５０の両側面には、レバー９３０を嵌合開始位置（第１位置）において仮係止するための突起９５５が設けられている。スライダ９４０には、相手側コネクタ９６０の力受部９６５が挿入されて相手側コネクタ９６０と係合するカム溝９４５、即ち力伝達部９４５が設けられている。レバー９３０を第１位置から突起９５５を乗り越えて第２位置へ回転させると、スライダ９４０はＹ方向において＋Ｙ側へ移動する。レバー９３０を第２位置から突起９５５を乗り越えて第１位置へ回転させると、スライダ９４０はＹ方向において−Ｙ側へ移動する。コネクタ９１０と相手側コネクタ９６０とが嵌合する際にレバー９３０を第１位置から突起９５５を乗り越えて第２位置へ回転させると、スライダ９４０の力伝達部９４５は相手側コネクタ９６０の力受部９６５をＺ方向において＋Ｚ側へ移動させ、それによってコネクタ９１０と相手側コネクタ９６０とは嵌合状態となる。コネクタ９１０と相手側コネクタ９６０との嵌合状態においてレバー９３０を第２位置から突起９５５を乗り越えて第１位置へ回転させると、スライダ９４０の力伝達部９４５は相手側コネクタ９６０の力受部９６５をＺ方向において−Ｚ側へ移動させ、それによってコネクタ９１０と相手側コネクタ９６０とは抜去可能な状態となる。
【先行技術文献】
【特許文献】
【０００３】
【特許文献１】特開２０１５−１２２１８２号公報
【発明の概要】
【発明が解決しようとする課題】
【０００４】
特許文献１のコネクタ組立体９００においては、組み付け作業中に不用意な外力がレバー９３０に作用した場合、レバー９３０の突起９５５による仮係止が解除されてスライダ９４０がＹ方向において＋Ｙ側に移動してしまう可能性がある。また、この仮係止が解除された状態において相手側コネクタ９６０とコネクタ９１０とが嵌合した場合、スライダ９４０と相手側コネクタ９６０の力受部９６５とが突き当たって相手側コネクタ９６０などが破損する恐れがある。
【０００５】
そこで、本発明は、組み付け作業中に不用意な外力がレバーに作用してもスライダの移動を規制することができ、相手側コネクタとコネクタとの嵌合の際に相手側コネクタなどの破損が避けられるコネクタ組立体を提供することを目的とする。
【課題を解決するための手段】
【０００６】
本発明は、第１のコネクタ組立体として、
コネクタと、前記コネクタと上下方向に沿って嵌合及び抜去可能な相手側コネクタとを備えるコネクタ組立体であって、
前記相手側コネクタは、力受部と、第１押圧部とを備えており、
前記コネクタは、ハウジングと、レバーと、スライダとを備えており、
前記ハウジングには、ハウジング側規制部が設けられており、
前記レバーは、第１位置と第２位置との間で回転可能となるように、前記ハウジングに取り付けられており、
前記スライダは、前記上下方向と直交する前後方向において移動可能となるように、前記ハウジングに取り付けられており、
前記レバーは、複数の歯を有する歯車部を有しており、
前記スライダは、複数の歯を有するラック部と、力伝達部と、被規制部とを有しており、
前記歯車部と前記ラック部は、互いに噛み合うことにより、前記レバーの回転を前記スライダの前記前後方向の移動に変換するものであり、
前記力伝達部は、前記スライダの前記前後方向の移動により前記相手側コネクタの前記力受部に前記上下方向の力を伝達するものであり、
前記レバーが前記第１位置から前記第２位置へ回転したとき、前記スライダは、前記前後方向において前方へ移動し、かつ前記力伝達部は、前記相手側コネクタの前記力受部を前記上下方向において上方へ移動させ、それによって前記コネクタと前記相手側コネクタとは嵌合状態となり、
前記レバーが前記第２位置から前記第１位置へ回転したとき、前記スライダは、前記前後方向において後方へ移動し、かつ前記力伝達部は、前記相手側コネクタの前記力受部を前記上下方向において下方へ移動させ、それによって、前記コネクタと前記相手側コネクタとは抜去可能な状態となり、
前記相手側コネクタと前記コネクタとが嵌合していない状態において前記レバーが前記第１位置にあるとき、前記ハウジング側規制部は、前記被規制部と係合することにより前記スライダの前方への移動を規制しており、
前記相手側コネクタと前記コネクタとが嵌合する際、前記第１押圧部は、前記ハウジング側規制部又は前記被規制部を押圧することにより前記ハウジング側規制部による前記規制を解除する
コネクタ組立体を提供する。
【０００７】
また、本発明は、第２のコネクタ組立体として、第１のコネクタ組立体であって、
前記第１押圧部は、前記被規制部に対して前記押圧を行う
コネクタ組立体を提供する。
【０００８】
また、本発明は、第３のコネクタ組立体として、第２のコネクタ組立体であって、
前記スライダは、弾性変形可能なアーム部を更に有しており、
前記被規制部は、前記アーム部の先端に設けられており、前記前後方向及び前記上下方向の双方と直交する幅方向に移動可能である
コネクタ組立体を提供する。
【０００９】
また、本発明は、第４のコネクタ組立体として、第３のコネクタ組立体であって、
前記アーム部は、前記前後方向において後方に延びている
コネクタ組立体を提供する。
【００１０】
また、本発明は、第５のコネクタ組立体として、第２から第４までのいずれかのコネクタ組立体であって、
前記相手側コネクタは、カム突起と、第２押圧部を更に備えており、
前記カム突起は、前記力受部として機能するものであり、
前記スライダは、スライダ側被押圧部と、カム溝とを更に有しており、
前記スライダ側被押圧部は、前記上下方向及び前記前後方向の双方と斜交する斜面を有しており、
前記カム溝は、前記力伝達部として機能するものであり、
前記相手側コネクタが前記コネクタと嵌合する場合において前記相手側コネクタが上方に移動するとき、前記ハウジング側規制部の前記規制が解除された後に、前記第２押圧部は、前記スライダ側被押圧部の前記斜面を押圧することにより前記スライダを前方に向けて移動させる
コネクタ組立体を提供する。
【００１１】
また、本発明は、第６のコネクタ組立体として、第３又は第４のコネクタ組立体であって、
前記相手側コネクタは、第２押圧部を更に備えており、
前記スライダは、スライダ側規制部を更に有しており、
前記スライダ側規制部は、前記上下方向と直交する平面を有しており、
前記相手側コネクタが前記コネクタと嵌合する場合において前記相手側コネクタが上方に移動するとき、前記ハウジング側規制部の前記規制が解除されてから前記スライダが前方に向けて所定量移動した後に、前記第２押圧部が前記スライダ側規制部の前記平面に突き当たることにより前記相手側コネクタの上方への移動が規制される
コネクタ組立体を提供する。
【００１２】
また、本発明は、第７のコネクタ組立体として、第６のコネクタ組立体であって、
前記ハウジングは、平坦部を有しており、
前記平坦部は、前記前後方向において前記ハウジング側規制部の前方に位置しており、
前記スライダが前方に向けて前記所定量移動したとき、前記被規制部と前記平坦部とは前記幅方向に並んでおり、且つ前記アーム部は弾性変形している
コネクタ組立体を提供する。
【００１３】
また、本発明は、第８のコネクタ組立体として、第７のコネクタ組立体であって、
前記ハウジングは、前記幅方向に貫通する孔部を有しており、
前記孔部は、前記前後方向において前記平坦部の前方に位置しており、
前記スライダが前方に向けて前記所定量移動した後に前記レバーを前記第１位置から前記第２位置まで回転したとき、前記被規制部は前記前後方向において前記孔部内に位置しており、且つ前記アーム部は弾性変形していない
コネクタ組立体を提供する。
【００１４】
また、本発明は、第９のコネクタ組立体として、第２から第４までのいずれかのコネクタ組立体であって、
前記相手側コネクタは、第２押圧部を更に備えており、
前記スライダは、スライダ側被押圧部と、スライダ側規制部とを更に有しており、
前記被規制部、前記スライダ側被押圧部及び前記スライダ側規制部は、前記前後方向においてこの順序で並んで配置されており、
前記第１押圧部及び前記第２押圧部は、前記前後方向においてこの順序で並んで配置されており、
前記相手側コネクタが前記コネクタと嵌合する場合において前記相手側コネクタが上方に移動するとき、前記ハウジング側規制部の前記規制が解除された後に、前記第２押圧部は、前記スライダ側被押圧部を押圧することにより前記スライダを前方に向けて所定量移動させ、
前記スライダが前方に向けて前記所定量移動した後、前記第２押圧部が前記スライダ側規制部に突き当たることにより前記相手側コネクタの上方への移動が規制される
コネクタ組立体を提供する。
【００１５】
また、本発明は、第１０のコネクタ組立体として、第５のコネクタ組立体であって、
前記スライダは、一対の側板部を備えており、
前記側板部の夫々には、２つの前記カム溝が設けられており、
前記２つの前記カム溝は、前記前後方向において並んでいる
コネクタ組立体を提供する。
【００１６】
また、本発明は、第１１のコネクタ組立体として、第２から第１０までのいずれかのコネクタ組立体であって、
前記被規制部及び前記第１押圧部の夫々は、前記相手側コネクタと前記コネクタとが嵌合する際に互いに接触する接触部を有しており、
前記被規制部の前記接触部と前記第１押圧部の前記接触部との少なくとも一方の前記接触部は、斜面を有しており、
前記斜面は、前記相手側コネクタが前記コネクタと嵌合する際に、前記被規制部を前記前後方向と交差する交差方向に移動させるように傾斜している
コネクタ組立体を提供する。
【００１７】
また、本発明は、第１２のコネクタ組立体として、第２から第１０までのいずれかのコネクタ組立体であって、
前記被規制部は、係止突起を有しており
前記係止突起は、前記前後方向及び前記上下方向の双方と直交する幅方向において内側に突出しており、
前記係止突起は、前記上下方向及び前記幅方向の双方と斜交する下面を有している
コネクタ組立体を提供する。
【００１８】
また、本発明は、第１３のコネクタ組立体として、第１２のコネクタ組立体であって、
前記係止突起は、前記前後方向及び前記幅方向の双方と斜交する後面を有している
コネクタ組立体を提供する。
【００１９】
また、本発明は、第１４のコネクタ組立体として、第１２又は第１３のコネクタ組立体であって、
前記係止突起の前面と前記前後方向とのなす角度は９０°以下である
コネクタ組立体を提供する。
【００２０】
また、本発明は、第１５のコネクタ組立体として、第１から第１４までのいずれかのコネクタ組立体であって、
前記ハウジングは、ハウジング本体と、カバー部とを備えており、
前記カバー部は、前記ハウジング本体に装着されており、
前記レバー及び前記スライダは、前記ハウジング本体に取り付けられている
コネクタ組立体を提供する。
【００２１】
また、本発明は、第１６のコネクタ組立体として、第１５のコネクタ組立体であって、
前記カバー部には、初期位置規制部が設けられており、
前記レバーが前記第１位置に位置しているとき、前記初期位置規制部は前記レバーの前記前後方向における前方への移動を規制している
コネクタ組立体を提供する。
【発明の効果】
【００２２】
本発明のコネクタ組立体においては、相手側コネクタとコネクタとが嵌合していない状態においてレバーが第１位置にあるとき、ハウジング側規制部と被規制部とは係合しており、スライダの前方への移動は規制されている。これにより、組み付け作業中に不用意な外力がレバーに作用してもスライダが動くことはなく、相手側コネクタとコネクタとが嵌合する際、コネクタのスライダと相手側コネクタとが突き当たって相手側コネクタなどが破損することが避けられる。
【図面の簡単な説明】
【００２３】
【図１】本発明の第１の実施の形態によるコネクタ組立体を示す側面図である。ここでコネクタのレバーは第１位置に位置している。また、図においては、レバーの一部を点線で示してある。
【図２】図１のコネクタ組立体に含まれるコネクタを示す斜視図である。ここでコネクタのレバーは第１位置に位置している。
【図３】図２のコネクタを示す下面図である。図において、コネクタの一部を拡大して示してある。
【図４】図２のコネクタを示す側面図である。図においては、レバーの一部を点線で示してある。
【図５】図４のコネクタをＡ−Ａ線に沿って示す断面図である。
【図６】図２のコネクタを示す別の斜視図である。ここでコネクタのレバーは第２位置に位置している。
【図７】図６のコネクタを示す下面図である。図においては、コネクタの一部を拡大して示してある。
【図８】図６のコネクタを示す側面図である。
【図９】図８のコネクタをＢ−Ｂ線に沿って示す断面図である。
【図１０】図１のコネクタ組立体に含まれる相手側コネクタを示す斜視図である。
【図１１】図１０の相手側コネクタを示す別の斜視図である。
【図１２】図１０の相手側コネクタを示す上面図である。
【図１３】図１０の相手側コネクタを示す側面図である。
【図１４】図１０の相手側コネクタを示す背面図である。
【図１５】図１０の相手側コネクタを示す更に別の斜視図である。
【図１６】図２のコネクタに含まれるスライダを示す斜視図である。
【図１７】図１６のスライダを示す側面図である。
【図１８】図１６のスライダを示す別の斜視図である。
【図１９】図１６のスライダを示す下面図である。
【図２０】図１６のスライダを示す背面図である。
【図２１】本発明の第２の実施の形態によるコネクタ組立体に含まれるコネクタを示す側面図である。ここで、コネクタのレバーは第１位置に位置している。また、図においては、レバーの一部を点線で示してある。
【図２２】図２１のコネクタをＣ−Ｃ線に沿って示す断面図である。
【図２３】図２１のコネクタを示す別の側面図である。ここで、コネクタのレバーは第２位置に位置している。
【図２４】図２３のコネクタをＤ−Ｄ線に沿って示す断面図である。
【図２５】特許文献１のコネクタ組立体を示す斜視図である。ここで、コネクタ組立体に含まれるコネクタ及び相手側コネクタは嵌合しておらず、コネクタのレバーは第１位置に位置している。
【図２６】図２５のコネクタ組立体を示す斜視図である。ここで、コネクタと相手側コネクタは嵌合しており、コネクタのレバーは第２位置に位置している。
【発明を実施するための形態】
【００２４】
（第１の実施の形態）
図１に示されるように、本発明の第１の実施の形態によるコネクタ組立体１０は、コネクタ１００と、相手側コネクタ５００とを備えている。相手側コネクタ５００は、コネクタ１００と上下方向に沿って嵌合及び抜去可能である。本実施の形態において、上下方向はＺ方向である。上方は＋Ｚ方向であり、下方は−Ｚ方向である。
【００２５】
図１０から図１５までに示されるように、本実施の形態による相手側コネクタ５００は、相手側コネクタハウジング５０５と、複数の雄端子５５０とを備えている。本実施の形態の相手側コネクタハウジング５０５は樹脂で一体成形されている。雄端子５５０は金属製である。
【００２６】
図１０から図１５までに示されるように、相手側コネクタハウジング５０５は、包囲部５０７と、端子保持部５０８と、底部収容部５０９とを有している。
【００２７】
図１０から図１５までに示されるように、包囲部５０７は、上下方向において端子保持部５０８の上方に位置している。包囲部５０７は、上下方向と直交する平面において底部収容部５０９を包囲している。本実施の形態において、上下方向と直交する平面はＸＹ平面である。包囲部５０７は、２つの短壁部５１２と、２つの長壁部５１４とを有している。２つの短壁部５１２は、上下方向と直交する前後方向において対向している。ここで、本実施の形態において、前後方向はＹ方向である。前方は＋Ｙ方向であり、後方は−Ｙ方向である。２つの長壁部５１４は、上下方向及び前後方向の双方と直交する幅方向において対向している。ここで、本実施の形態において、幅方向はＸ方向である。
【００２８】
図１０から図１５までに示されるように、長壁部５１４の夫々の外面には、２つのカム突起（力受部）５１０と、第１押圧部５２０と、第２押圧部５３０とが設けられている。
【００２９】
図１０から図１５までに示されるように、カム突起５１０の夫々は、力受部５１０として機能するものである。カム突起（力受部）５１０の夫々は、長壁部５１４の外面から幅方向外側に突出しており、略円筒形を有している。第１押圧部５２０は、前後方向と直交する平面内において略台形状の断面を有しており、長壁部５１４の外面から幅方向外側に突出している。本実施の形態において、前後方向と直交する平面はＸＺ平面である。第１押圧部５２０は、上下方向及び幅方向の双方と斜交する斜面（接触部）５２２を有している。斜面５２２は、第１押圧部５２０の上端から下方且つ幅方向外側に延びている。第２押圧部５３０は、上下方向と直交する平面であり、前端５３２を有している。また第２押圧部５３０は、長壁部５１４の外面から幅方向外側に突出している。第１押圧部５２０及び第２押圧部５３０は、前後方向においてこの順序で並んで配置されている。即ち、第１押圧部５２０は、前後方向において第２押圧部５３０の前方に位置している。これにより、第１押圧部５２０と第２押圧部５３０とを幅方向に配置するよりも、コネクタ１００の幅方向におけるサイズを小さくすることができる。
【００３０】
図１０から図１５までに示されるように、底部収容部５０９は、上下方向おける上方に開口部５１６を有している。
【００３１】
図１０から図１５までに示されるように、雄端子５５０は、全体的に略Ｌ字形状を有しており、接触部５５２と被固定部５５４とを有している。接触部５５２は雄端子５５０の上端付近であり、被固定部５５４は雄端子５５０の＋Ｘ側端部である。雄端子５５０の夫々は、相手側コネクタハウジング５０５の端子保持部５０８に保持されている。被固定部５５４は、回路基板（図示せず）に半田付けされるものである。
【００３２】
図２から図９までに示されるように、本実施の形態によるコネクタ１００は、ハウジング２００と、レバー３００と、スライダ４００と、複数の雌端子２１８とを備えている。ハウジング２００、レバー３００及びスライダ４００は、樹脂製であり、雌端子２１８は金属製である。
【００３３】
図２、図４、図６及び図８に示されるように、ハウジング２００は、ハウジング本体２１０と、カバー部２５０とを備えている。
【００３４】
図２から図９までに示されるように、ハウジング本体２１０には、外周部２１９と、包囲部収容部２１１と、底部２１２と、２つのハウジング側規制部２２０と、２つの平坦部２３０と、２つの孔部２４０とが設けられている。
【００３５】
図２から図９までに示されるように、外周部２１９は、上下方向と直交する平面内においてハウジング本体２１０の外縁を規定しており、上下方向と直交する平面内において包囲部収容部２１１を包囲している。本実施の形態において、上下方向と直交する平面はＸＹ平面である。
【００３６】
図１から図１６までに示されるように、包囲部収容部２１１は、相手側コネクタ５００の包囲部５０７を収容するものであり、上下方向と直交する平面において底部２１２を包囲している。
【００３７】
図１から図１６までに示されるように、底部２１２は、相手側コネクタ５００の底部収容部５０９に収容されるものである。底部２１２は、上下方向においてハウジング本体２１０の下端に位置しており、複数の受容部２１５が設けられている。受容部２１５は、上下方向に貫通する孔である。
【００３８】
図５及び図９に示されるように、ハウジング本体２１０の幅方向両端付近には、ハウジング側規制部２２０と、平坦部２３０と、孔部２４０とで構成される組み合わせが一組ずつ配置されている。平坦部２３０は、幅方向と直交する平面であり、前後方向においてハウジング側規制部２２０の前方に位置している。孔部２４０は、幅方向において包囲部収容部２１１と連通しており、前後方向において平坦部２３０の前方に位置している。
【００３９】
図２、図４、図６及び図８に示されるように、カバー部２５０は、上下方向においてハウジング本体２１０の上方に位置しており、ハウジング本体２１０に装着されている。カバー部２５０には、２つの初期位置規制部２５２と、カバー部開口部２５４とが設けられている。初期位置規制部２５２は、カバー部開口部２５４の幅方向両端から前後方向において後方に延びており、幅方向外側に突出している。
【００４０】
図２、図４、図６及び図８から理解されるように、レバー３００は、第１位置と第２位置との間で回転可能となるように、ハウジング２００のハウジング本体２１０に取り付けられている。ここで、図２及び図４に示されるレバー３００の位置が第１位置であり、図６及び図８に示されるレバー３００の位置が第２位置である。レバー３００は、２つの歯車部３１０と、２つのアーム部３１４と、連結部３１６とを有している。歯車部３１０は、複数の歯３１２を有している。歯車部３１０は、アーム部３１４の下端と夫々接続されている。連結部３１６は、アーム部３１４の上端同士を連結している。レバー３００が第１位置に位置しているとき、カバー部２５０の初期位置規制部２５２はレバー３００の前後方向における前方への移動を規制している。より具体的には、初期位置規制部２５２の後端は、レバー３００が第１位置に位置しているときにアーム部３１４の前縁の直前に位置するよう配置されている。
【００４１】
図２、図５、図６、図９及び図１６から図２０までに示されるように、スライダ４００は、前後方向において移動可能となるように、ハウジング２００のハウジング本体２１０に取り付けられている。スライダ４００は、一対の側板部４１０を備えている。側板部４１０は、ハウジング本体２１０の外周部２１９の幅方向内側に夫々位置しており、包囲部収容部２１１の幅方向外側に夫々位置している。側板部４１０の夫々は、複数の歯４２２を有するラック部４２０と、２つのカム溝４３０と、アーム部収容部４４４と、アーム部固定部４４２と、アーム部４４０と、スライダ側被押圧部４７０と、スライダ側規制部４８０と、被規制部４５０とを有している。なお、本実施の形態の側板部４１０は、樹脂により一体成形されており、部品点数の削減が図られている。
【００４２】
図３、図４、図７及び図１６から図２０までから理解されるように、スライダ４００のラック部４２０の歯４２２とレバー３００の歯車部３１０の歯３１２とは、互いに噛み合うことにより、レバー３００の回転をスライダ４００の前後方向の移動に変換する。また、前述のようにレバー３００はハウジング本体２１０に取り付けられているため、レバー３００の歯車部３１０はスライダ４００の上方への移動を規制している。
【００４３】
図１６から図２０までに示されるように、側板部４１０の２つのカム溝（力伝達部）４３０は、前後方向において並んでいる。カム溝（力伝達部）４３０の夫々は、上下方向における下方に開口部４３２を有しており、開口部４３２から後方且つ上方に延びている溝である。カム溝４３０の夫々は、力伝達部４３０として機能するものである。即ち、カム溝（力伝達部）４３０は、スライダ４００の前後方向の移動により相手側コネクタ５００のカム突起（力受部）５１０に上下方向の力を伝達するものである。より具体的には、カム溝（力伝達部）４３０は、スライダ４００が前方に移動することにより開口部４３２から相手側コネクタ５００のカム突起（力受部）５１０を収容し、スライダ４００が後方に移動することにより相手側コネクタ５００のカム突起（力受部）５１０を開口部４３２に向けて移動させるものである。
【００４４】
図１６から図２０までに示されるように、アーム部収容部４４４は、幅方向外側に凹んだ凹部である。
【００４５】
図１６から図２０までに示されるように、アーム部４４０は、アーム部固定部４４２の後端から後方に延びており、弾性変形可能である。また、アーム部４４０は、アーム部収容部４４４の内面の幅方向内側に位置している。
【００４６】
図１６から図２０までに示されるように、スライダ側被押圧部４７０は、上下方向及び前後方向の双方と斜交する斜面４７２を有している。より具体的には、スライダ側被押圧部４７０の斜面４７２は、アーム部収容部４４４の後端から後方且つ上方に延びている。
【００４７】
図１６から図２０までに示されるように、スライダ側規制部４８０は、上下方向と直交する平面４８２を有している。スライダ側規制部４８０の平面４８２は、前後方向においてスライダ側被押圧部４７０の斜面４７２の後端と連結される前端４８４を有している。
【００４８】
図１６から図２０までに示されるように、被規制部４５０は、前後方向におけるアーム部４４０の後端に設けられており、幅方向に移動可能である。被規制部４５０は、係止突起４６０を有している。係止突起４６０は、幅方向において内側に突出している。係止突起４６０は、下面（接触部）４６１と、後面４６２と、前面４６３と、側面４６４とを有している。下面（接触部）４６１は、上下方向において係止突起４６０の下端に位置しており、上下方向及び幅方向の双方と斜交している。後面４６２は、前後方向において係止突起４６０の後端に位置しており、前後方向及び幅方向の双方と斜交している。前面４６３は、前後方向と交差する平面であり、前後方向において係止突起４６０の前端に位置している。係止突起４６０の前面４６３と前後方向とのなす角度は９０°以下である。側面４６４は、幅方向と直交する平面であり、係止突起４６０の幅方向内端に位置している。
【００４９】
図１６から図２０までに示されるように、被規制部４５０、スライダ側被押圧部４７０及びスライダ側規制部４８０は、前後方向においてこの順序で並んで配置されている。より具体的には、被規制部４５０は、前後方向においてスライダ側被押圧部４７０の前方に位置しており、スライダ側被押圧部４７０は、前後方向においてスライダ側規制部４８０の前方に位置している。これにより、被規制部４５０、スライダ側被押圧部４７０及びスライダ側規制部４８０を幅方向に配置するよりも、コネクタ１００の幅方向におけるサイズを小さくすることができる。
【００５０】
図１、図３、図５、図７及び図９に示されるように、雌端子２１８は、相手側コネクタ５００とコネクタ１００とが嵌合した際に相手側コネクタ５００の雄端子５５０の接触部５５２と接触するものである。雌端子２１８は、ハウジング本体２１０の底部２１２の受容部２１５内に夫々保持されている。
【００５１】
図１、図３、図５、図７、図９から図１１及び図１６から図２０を参照して、相手側コネクタ５００とコネクタ１００との嵌合操作は、以下に説明するように行われる。
【００５２】
まず、相手側コネクタ５００とコネクタ１００とが嵌合していない状態においてレバー３００が第１位置にあるとき、ハウジング側規制部２２０は、被規制部４５０と係合することによりスライダ４００の前方への移動を規制している。より詳しくは、上述の状態において、ハウジング側規制部２２０の後面２２２は、被規制部４５０の係止突起４６０の前面４６３と接触しており、被規制部４５０の前方への移動は妨げられている。これにより、スライダ４００の前方への移動は規制されている。
【００５３】
次に、相手側コネクタ５００をコネクタ１００に対して上方に移動させることにより、コネクタ１００のハウジング本体２１０の包囲部収容部２１１に、相手側コネクタ５００の相手側コネクタハウジング５０５の包囲部５０７を収容すると、相手側コネクタ５００の第１押圧部５２０の斜面（接触部）５２２は、被規制部４５０の係止突起４６０の下面（接触部）４６１を押圧して係止突起４６０を前後方向と交差する交差方向に移動させる。これにより、係止突起４６０の前面４６３とハウジング側規制部２２０の後面２２２との接触は解消されるため、ハウジング側規制部２２０によるスライダ４００の前方への移動に対する規制は解除される。なお、本実施の形態においては、交差方向は幅方向である。
【００５４】
相手側コネクタ５００をコネクタ１００に対してさらに上方に移動させると、第２押圧部５３０は、スライダ側被押圧部４７０の斜面４７２を押圧することによりスライダ４００を前方に向けて所定量移動させる。より具体的には、相手側コネクタ５００をコネクタ１００に対してさらに上方に移動させると、第２押圧部５３０の前端５３２はスライダ側被押圧部４７０の斜面４７２を上方に押圧するが、前述のようにスライダ４００の上方への移動はレバー３００の歯車部３１０により規制されているため、スライダ側被押圧部４７０の斜面４７２は負荷された上方に向かう力を前方に向かう力に変換する。これにより、第２押圧部５３０の前端５３２は、スライダ側被押圧部４７０の斜面４７２の下端から上端までを順次押圧することとなり、スライダ４００は前方に向けて所定量移動する。このとき、被規制部４５０と平坦部２３０とは幅方向に並んでおり、且つアーム部４４０は弾性変形している。より具体的には、被規制部４５０の係止突起４６０の下面４６１、後面４６２、前面４６３及び側面４６４は平坦部２３０の幅方向外側に位置しており、側面４６４は平坦部２３０と接触している。
【００５５】
その後、第２押圧部５３０がスライダ側規制部４８０の平面４８２に突き当たることにより、相手側コネクタ５００の上方への移動が規制される。より具体的には、第２押圧部５３０の前端５３２がスライダ側規制部４８０の平面４８２の前端４８４に突き当たることにより、相手側コネクタ５００の上方への移動が規制される。特に本実施の形態においては、スライダ側規制部４８０は上下方向と直交する平面４８２を有しているため、ユーザーは、相手側コネクタ５００のコネクタ１００への押し込みが完了したことを容易に認識することができる。このとき、相手側コネクタ５００のカム突起（力受部）５１０は、カム溝（力伝達部）４３０内に夫々位置しており、レバー３００は回転可能な状態となっている。
【００５６】
スライダ４００が前方に向けて所定量移動した後にレバー３００を第１位置から第２位置まで回転したとき、被規制部４５０は前後方向において孔部２４０内に位置しており、且つアーム部４４０は弾性変形していない。より具体的には、スライダ４００が前方に向けて所定量移動した後にレバー３００を第１位置から第２位置まで回転したとき、被規制部４５０の係止突起４６０の側面４６４は、平坦部２３０の前方であって平坦部２３０の幅方向内側に位置している。また、スライダ４００が前方に向けて所定量移動した後にレバー３００が第１位置から第２位置へ回転したとき、スライダ４００は、前後方向において前方へ移動し、かつカム溝（力伝達部）４３０は、相手側コネクタ５００のカム突起（力受部）５１０を上下方向において上方へ移動させ、それによってコネクタ１００と相手側コネクタ５００とは嵌合状態となる。即ち、相手側コネクタ５００の雄端子５５０の接触部５５２とコネクタ１００の雌端子２１８とは互いに接続される。
【００５７】
図１、図３、図５、図７、図９から図１１及び図１６から図２０を参照して、相手側コネクタ５００とコネクタ１００との抜去操作は、以下に説明するように行われる。
【００５８】
上述の嵌合状態においてレバー３００を第２位置から第１位置へ回転したとき、スライダ４００は、前後方向において後方へ移動し、かつカム溝（力伝達部）４３０は、相手側コネクタ５００のカム突起（力受部）５１０を上下方向において下方へ移動させ、それによって、コネクタ１００と相手側コネクタ５００とは抜去可能な状態となる。より具体的には、上述の嵌合状態においてレバー３００を第２位置から第１位置へ回転したとき、コネクタ１００のスライダ４００のカム溝（力伝達部）４３０に収容されていた相手側コネクタ５００のカム突起（力受部）５１０を開口部４３２付近にまで移動させ、それによって、コネクタ１００と相手側コネクタ５００とは抜去可能な状態となる。このとき、スライダ４００の被規制部４５０の係止突起４６０はハウジング本体２１０の平坦部２３０を乗り越えて後方に移動し、係止突起４６０の前面４６３はハウジング側規制部２２０の後面２２２と係合することとなる。即ち、被規制部４５０の前方への移動が妨げられているため、スライダ４００の前方への移動は規制されている。ここで、スライダ４００の被規制部４５０の係止突起４６０の後面４６２は前後方向及び幅方向において斜交しているため、スライダ４００が前後方向において後方に移動する際に平坦部２３０を乗り越えやすくなっている。
【００５９】
本実施の形態においては、被規制部４５０は第１押圧部５２０の斜面（接触部）５２２と接触する下面（接触部）４６１を有し、第１押圧部５２０は被規制部４５０の下面（接触部）４６１と接触する斜面（接触部）５２２を有し、下面（接触部）４６１及び斜面（接触部）５２２の夫々は上下方向及び幅方向の双方と斜交していたが、被規制部４５０の下面（接触部）４６１と第１押圧部５２０の斜面（接触部）５２２との少なくとも一方の接触部が、相手側コネクタ５００がコネクタ１００と嵌合する際に被規制部４５０を前後方向と交差する交差方向に移動させるように傾斜している斜面を有していてもよい。
【００６０】
（第２の実施の形態）
図１及び図２１から図２４までを参照すると、本発明の第２の実施の形態によるコネクタ組立体１０Ａは、コネクタ１００Ａを除き、上述した第１の実施の形態によるコネクタ組立体１０（図１参照）と同様な構成を備えている。そのため、図２１から図２４までに示される構成要素のうち、第１の実施の形態と同様の構成要素に対しては同一の参照符号を付すこととする。
【００６１】
図２１から図２４までに示されるように、本実施の形態によるコネクタ１００Ａは、ハウジング２００Ａと、レバー３００と、スライダ４００Ａと、複数の雌端子２１８とを備えている。ハウジング２００Ａ及びスライダ４００Ａは樹脂製である。レバー３００及び雌端子２１８については、上述した第１の実施の形態のコネクタ１００のものと同じ構造を有するものである。従って、これについては詳細な説明を省略する。
【００６２】
図２１から図２４までに示されるように、ハウジング２００Ａは、ハウジング本体２１０Ａと、カバー部２５０とを備えている。このうち、カバー部２５０については、上述した第１の実施の形態のコネクタ１００のものと同じ構造を有するものである。従って、これについては詳細な説明を省略する。
【００６３】
図２１から図２４までに示されるように、ハウジング本体２１０Ａは、包囲部収容部２１１と、底部２１２と、外周部２１９Ａと、２つのハウジング側規制部２２０Ａと、２つのアーム部２２８Ａとが設けられている。このうち、包囲部収容部２１１及び底部２１２については、上述した第１の実施の形態のコネクタ１００のものと同じ構造を有するものである。従って、これについては詳細な説明を省略する。
【００６４】
図２１から図２４までに示されるように、外周部２１９Ａは、上下方向と直交する平面内においてハウジング本体２１０Ａの外縁を規定しており、上下方向と直交する平面内において包囲部収容部２１１を包囲している。本実施の形態において、上下方向はＺ方向である。上方は＋Ｚ方向であり、下方は−Ｚ方向である。また、本実施の形態において、上下方向と直交する平面は、ＸＹ平面である。ハウジング側規制部２２０Ａは、外周部２１９Ａの幅方向の内面から内側に突出した突起２２４Ａである。本実施の形態において、幅方向はＸ方向である。突起２２４Ａは、アーム部２２８Ａの後端付近に位置している。アーム部２２８Ａは弾性変形可能であり、突起２２４Ａは幅方向に移動可能となっている。突起２２４Ａは、円錐部２２５Ａと、軸部２２６Ａとで構成されている。円錐部２２５Ａは、略円錐形状を有しており、軸部２２６Ａの幅方向内端から幅方向内側に延びている。軸部２２６Ａは、幅方向と直交する平面内において一定の外径を有している。本実施の形態において、幅方向と直交する平面はＹＺ平面である。
【００６５】
図２１から図２４までに示されるように、スライダ４００Ａは、前後方向において移動可能となるように、ハウジング２００Ａのハウジング本体２１０Ａに取り付けられている。本実施の形態において、前後方向はＹ方向である。前方は＋Ｙ方向であり、後方は−Ｙ方向である。より具体的には、スライダ４００Ａは、一対の側板部４１０Ａを備えている。側板部４１０Ａは、ハウジング本体２１０Ａの外周部２１９Ａの幅方向内側に夫々位置しており、包囲部収容部２１１の幅方向外側に夫々位置している。側板部４１０Ａの夫々には、複数の歯４２２を有するラック部４２０と、２つのカム溝４３０と、スライダ側被押圧部４７０と、スライダ側規制部４８０と、被規制部４５０Ａとを有している。このうち、ラック部４２０、カム溝４３０、スライダ側被押圧部４７０及びスライダ側規制部４８０については、上述した第１の実施の形態のコネクタ１００のものと同じ構造を有するものである。従って、これについては詳細な説明を省略する。なお、本実施の形態の側板部４１０Ａは、樹脂により一体成形されており、部品点数の削減が図られている。
【００６６】
図２１から図２４までに示されるように、被規制部４５０Ａは側板部４１０Ａを幅方向に貫通する孔４５２Ａである。孔４５２Ａは、テーパ部４５４Ａと、円筒部４５６Ａとにより構成されている。テーパ部４５４Ａの内径は、幅方向外側から内側にかけて小さくなっている。円筒部４５６Ａは、幅方向と直交する平面内において一定の内径を有しており、テーパ部４５４Ａの幅方向内端から幅方向内側に延びている。幅方向と直交する平面内において、被規制部４５０Ａの孔４５２Ａの円筒部４５６Ａの内径は、ハウジング側規制部２２０Ａの突起２２４Ａの軸部２２６Ａの外径よりも大きい。
【００６７】
図１及び図１６から図２４を参照して、相手側コネクタ５００とコネクタ１００Ａとの嵌合操作は、以下に説明するように行われる。
【００６８】
まず、相手側コネクタ５００とコネクタ１００Ａとが嵌合していない状態においてレバー３００が第１位置にあるとき、ハウジング側規制部２２０Ａは、被規制部４５０Ａと係合することによりスライダ４００Ａの前方への移動を規制している。より詳しくは、上述の状態において、ハウジング側規制部２２０Ａの突起２２４Ａは、被規制部４５０Ａの孔４５２Ａに挿入されており、ハウジング側規制部２２０Ａの突起２２４Ａの軸部２２６Ａの幅方向内端が被規制部４５０Ａの孔４５２Ａのテーパ部４５４Ａの幅方向内端よりも幅方向内側に位置していることから、被規制部４５０Ａの前方への移動は妨げられている。これにより、スライダ４００Ａの前方への移動は規制されている。
【００６９】
次に、相手側コネクタ５００をコネクタ１００Ａに対して上方に移動させることにより、コネクタ１００Ａのハウジング本体２１０Ａの包囲部収容部２１１に、相手側コネクタ５００の相手側コネクタハウジング５０５の包囲部５０７を収容すると、相手側コネクタ５００の第１押圧部５２０の斜面（接触部）５２２は、ハウジング側規制部２２０Ａの突起２２４Ａを押圧して突起２２４Ａを前後方向と交差する交差方向に移動させる。これにより、ハウジング側規制部２２０Ａの突起２２４Ａの軸部２２６Ａの幅方向内端は、被規制部４５０Ａの孔４５２Ａのテーパ部４５４Ａの幅方向内端よりも幅方向外側に位置することとなる。即ち、ハウジング側規制部２２０Ａの突起２２４Ａの円錐部２２５Ａの幅方向外端は、被規制部４５０Ａの孔４５２Ａの円筒部４５６Ａの幅方向外端よりも幅方向外側に位置することとなる。よって、スライダ４００Ａが前方に移動した際には、ハウジング側規制部２２０Ａの突起２２４Ａは、被規制部４５０Ａの孔４５２Ａを容易に乗り越えられる状態となっているため、ハウジング側規制部２２０Ａによるスライダ４００Ａの前方への移動に対する規制は解除されることとなる。なお、本実施の形態においては、交差方向は幅方向である。
【００７０】
相手側コネクタ５００をコネクタ１００Ａに対してさらに上方に移動させると、第２押圧部５３０は、スライダ側被押圧部４７０の斜面４７２を押圧することによりスライダ４００を前方に向けて所定量移動させる。より具体的には、相手側コネクタ５００をコネクタ１００Ａに対してさらに上方に移動させると、第２押圧部５３０の前端５３２はスライダ側被押圧部４７０の斜面４７２を上方に押圧するが、前述のようにスライダ４００の上方への移動はレバー３００の歯車部３１０により規制されているため、スライダ側被押圧部４７０の斜面４７２は負荷された上方に向かう力を前方に向かう力に変換する。これにより、第２押圧部５３０の前端５３２は、スライダ側被押圧部４７０の斜面４７２の下端から上端までを順次押圧することとなり、スライダ４００Ａは、前方に向けて所定量移動する。このとき、ハウジング側規制部２２０Ａの突起２２４Ａは、幅方向において被規制部４５０Ａの孔４５２Ａの外側に位置しており、アーム部２２８Ａは弾性変形している。
【００７１】
その後、第２押圧部５３０がスライダ側規制部４８０の平面４８２に突き当たることにより、相手側コネクタ５００の上方への移動が規制される。より具体的には、第２押圧部５３０の前端５３２がスライダ側規制部４８０の平面４８２の前端４８４に突き当たることにより、相手側コネクタ５００の上方への移動が規制される。このため、ユーザーは、相手側コネクタ５００のコネクタ１００Ａへの押し込みが完了したことを認識することができる。このとき、相手側コネクタ５００のカム突起（力受部）５１０は、カム溝（力伝達部）４３０内に夫々位置しており、レバー３００は回転可能な状態となっている。
【００７２】
スライダ４００Ａが前方に向けて所定量移動した後にレバー３００を第１位置から第２位置まで回転したとき、ハウジング側規制部２２０Ａの突起２２４Ａは前後方向においてスライダ４００Ａの後端の後方に位置している。また、スライダ４００Ａが前方に向けて所定量移動した後にレバー３００が第１位置から第２位置へ回転したとき、スライダ４００Ａは、前後方向において前方へ移動し、かつカム溝（力伝達部）４３０は、相手側コネクタ５００のカム突起（力受部）５１０を上下方向において上方へ移動させ、それによってコネクタ１００Ａと相手側コネクタ５００とは嵌合状態となる。即ち、相手側コネクタ５００の雄端子５５０の接触部５５２とコネクタ１００Ａの雌端子２１８とは互いに接続される。
【００７３】
図１及び図１６から図２４を参照して、相手側コネクタ５００とコネクタ１００Ａとの抜去操作は、以下に説明するように行われる。
【００７４】
上述の嵌合状態においてレバー３００を第２位置から第１位置へ回転したとき、スライダ４００Ａは、前後方向において後方へ移動し、かつカム溝（力伝達部）４３０は、相手側コネクタ５００のカム突起（力受部）５１０を上下方向において下方へ移動させ、それによって、コネクタ１００Ａと相手側コネクタ５００とは抜去可能な状態となる。より具体的には、上述の嵌合状態においてレバー３００を第２位置から第１位置へ回転したとき、コネクタ１００Ａのスライダ４００Ａのカム溝（力伝達部）４３０に収容されていた相手側コネクタ５００のカム突起（力受部）５１０を開口部４３２付近にまで移動させ、それによって、コネクタ１００Ａと相手側コネクタ５００とは抜去可能な状態となる。このとき、ハウジング側規制部２２０Ａの突起２２４Ａは、スライダ４００Ａの外側面を乗り越えて被規制部４５０Ａの孔４５２Ａに挿入されることとなる。即ち、被規制部４５０Ａの前方への移動が妨げられているため、スライダ４００Ａの前方への移動は規制されている。
【００７５】
以上、本発明について実施の形態を掲げて具体的に説明してきたが、本発明はこれに限定されるものではない。
【００７６】
本実施の形態の相手側コネクタ５００の相手側コネクタハウジング５０５は、樹脂により一体成形されていたが、別々の部品を組み合わせて構成されていてもよい。
【００７７】
本実施の形態のコネクタ１００，１００Ａの側板部４１０，４１０Ａは、樹脂により一体成形されていたが、別々の部品を組み合わせて構成されていてもよい。
【符号の説明】
【００７８】
１０，１０Ａ            コネクタ組立体
１００，１００Ａ        コネクタ
２００，２００Ａ        ハウジング
２１０，２１０Ａ        ハウジング本体
２１１                  包囲部収容部
２１２                  底部
２１５                  受容部
２１８                  雌端子
２１９，２１９Ａ        外周部
２２０，２２０Ａ        ハウジング側規制部
２２２                  後面
２２４Ａ                突起
２２５Ａ                円錐部
２２６Ａ                軸部
２２８Ａ                アーム部
２３０                  平坦部
２４０                  孔部
２５０                  カバー部
２５２                  初期位置規制部
２５４                  カバー部開口部
３００                  レバー
３１０                  歯車部
３１２                  歯
３１４                  アーム部
３１６                  連結部
４００，４００Ａ        スライダ
４１０，４１０Ａ        側板部
４２０                  ラック部
４２２                  歯
４３０                  カム溝（力伝達部）
４３２                  開口部
４４０                  アーム部
４４２                  アーム部固定部
４４４                  アーム部収容部
４５０，４５０Ａ        被規制部
４５２Ａ                孔
４５４Ａ                テーパ部
４５６Ａ                円筒部
４６０                  係止突起
４６１                  下面（接触部）
４６２                  後面
４６３                  前面
４６４                  側面
４７０                  スライダ側被押圧部
４７２                  斜面
４８０                  スライダ側規制部
４８２                  平面
４８４                  前端
５００                  相手側コネクタ
５０５                  相手側コネクタハウジング
５０７                  包囲部
５０８                  端子保持部
５０９                  底部収容部
５１０                  カム突起（力受部）
５１２                  短壁部
５１４                  長壁部
５１６                  開口部
５２０                  第１押圧部
５２２                  斜面（接触部）
５３０                  第２押圧部
５３２                  前端
５５０                  雄端子
５５２                  接触部
５５４                  被固定部
【図１】
0006619285.tif 000002
【図２】
0006619285.tif 000003
【図３】
0006619285.tif 000004
【図４】
0006619285.tif 000005
【図５】
0006619285.tif 000006
【図６】
0006619285.tif 000007
【図７】
0006619285.tif 000008
【図８】
0006619285.tif 000009
【図９】
0006619285.tif 000010
【図１０】
0006619285.tif 000011
【図１１】
0006619285.tif 000012
【図１２】
0006619285.tif 000013
【図１３】
0006619285.tif 000014
【図１４】
0006619285.tif 000015
【図１５】
0006619285.tif 000016
【図１６】
0006619285.tif 000017
【図１７】
0006619285.tif 000018
【図１８】
0006619285.tif 000019
【図１９】
0006619285.tif 000020
【図２０】
0006619285.tif 000021
【図２１】
0006619285.tif 000022
【図２２】
0006619285.tif 000023
【図２３】
0006619285.tif 000024
【図２４】
0006619285.tif 000025
【図２５】
0006619285.tif 000026
【図２６】
0006619285.tif 000027